(57)【要約】【課題】  基本インク以外の色相の特色インクを追加／削除した場合に生じる色域の変化を反映したＬＵＴを簡易に生成する。【解決手段】  任意の画像データをＣＭＹＫ形式の画像データに変換する基本ＬＵＴを備え、変換後の画像データを画像出力装置２１２に出力する画像処理装置２００であって、前記任意の画像データを前記ＣＭＹＫ以外の特色データを含む画像データに変換する特色ＬＵＴを入力する手段（２１０）と、前記基本ＬＵＴにより形成される色域以外の色域であって、前記特色ＬＵＴにより形成可能な色域を検索する手段（２０４）と、前記手段（２０４）により検索された色域を追加することで前記基本ＬＵＴを変更する手段（２０５）と、前記手段（２０５）により変更された前記基本ＬＵＴを用いて、前記任意の画像データを前記ＣＭＹＫ以外の特色データを含む画像データに変換する手段（２０８）とを備える。【選択図】  図２
2005153281.tif 000002
【特許請求の範囲】
【請求項１】
任意の画像データをＣＭＹＫ形式の画像データに変換する基本ルックアップテーブルを備え、変換後の画像データを画像出力装置に出力する画像処理装置であって、
前記任意の画像データを前記ＣＭＹＫ以外の特色データを含む画像データに変換する特色ルックアップテーブルを読み込む読込手段と、
前記基本ルックアップテーブルにより形成される色域以外の色域であって、前記特色ルックアップテーブルにより形成可能な色域を検索する検索手段と、
前記検索手段により検索された色域を追加することで前記基本ルックアップテーブルを変更する変更手段と、
前記変更手段により変更された前記基本ルックアップテーブルを用いて、前記任意の画像データを前記ＣＭＹＫ以外の特色データを含む画像データに変換する変換手段と
を備えることを特徴とする画像処理装置。
【請求項２】
特色データを取得する取得手段と、
前記特色ルックアップテーブルを複数記憶する記憶手段と、を更に備え、
前記読込手段は、前記取得手段により取得された特色データに基づいて、前記記憶手段より前記特色ルックアップテーブルを読み込むことを特徴とする請求項１に記載の画像処理装置。
【請求項３】
前記取得手段は、
装填された特色インクの容器に設けられた判別用チップまたは特色インクの容器の形状に基づいて、前記画像出力装置が判別した特色データを、該画像出力装置より取得することを特徴とする請求項２に記載の画像処理装置。
【請求項４】
前記取得手段は、
ユーザにより指定された特色データを取得することを特徴とする請求項２に記載の画像処理装置。
【請求項５】
任意の画像データをＣＭＹＫ形式の画像データに変換する基本ルックアップテーブルを備え、変換後の画像データを画像出力装置に出力する画像処理装置における画像処理方法であって、
前記任意の画像データを前記ＣＭＹＫ以外の特色データを含む画像データに変換する特色ルックアップテーブルを読み込む読込工程と、
前記基本ルックアップテーブルにより形成される色域以外の色域であって、前記特色ルックアップテーブルにより形成可能な色域を検索する検索工程と、
前記検索工程により検索された色域を追加することで前記基本ルックアップテーブルを変更する変更工程と、
前記変更工程により変更された前記基本ルックアップテーブルを用いて、前記任意の画像データを前記ＣＭＹＫ以外の特色データを含む画像データに変換する変換工程と
を備えることを特徴とする画像処理方法。
【請求項６】
特色データを取得する取得工程と、
前記特色ルックアップテーブルを複数記憶する記憶工程と、を更に備え、
前記読込工程は、前記取得工程により取得された特色データに基づいて、前記記憶工程において記憶された前記特色ルックアップテーブルを読み込むことを特徴とする請求項５に記載の画像処理方法。
【請求項７】
前記取得工程は、
装填された特色インクの容器に設けられた判別用チップまたは特色インクの容器の形状に基づいて、前記画像出力装置が判別した特色データを、該画像出力装置より取得することを特徴とする請求項６に記載の画像処理方法。
【請求項８】
前記取得工程は、
ユーザにより指定された特色データを取得することを特徴とする請求項６に記載の画像処理方法。
【請求項９】
請求項５乃至８のいずれか１つに記載の画像処理方法をコンピュータによって実現させるための制御プログラムを格納した記憶媒体。
【請求項１０】
請求項５乃至８のいずれか１つに記載の画像処理方法をコンピュータによって実現させるための制御プログラム。
【発明の詳細な説明】
【技術分野】
【０００１】
本発明は印刷処理における色分解技術、特に特色インクを用いて色分解する際の色分解ルックアップテーブルの作成技術に関する。
【背景技術】
【０００２】
ワードプロセッサ、パーソナルコンピュータ、ファクシミリ等に用いられ、所望される文字や画像等の各種情報を用紙やフィルム等のシート状の記録媒体に記録する、所謂画像出力装置には様々な方式のものがある。代表的なものとしては、記録媒体に記録剤を付着させることで文字や画像等を形成するインクジェット記録装置が挙げられる。近年、このインクジェット記録装置の性能は飛躍的に向上し、文字ばかりでなく、カラー画像も記録可能となっている。
【０００３】
さらに、カラー画像においてより鮮やかな色を忠実に色再現すべく、最近では、ＣＭＹＫの４色インク（基本インク）に特色インクを加え、５色以上のインクを用いて印刷する所謂特色印刷に関する技術も提案されてきている。
【０００４】
例えば、特開平０６−３２９００４号公報では、マルチカラーリボンを使用せずに、単色のインクリボンを複数使用することにより、特色（予め用意した特定の色、例えば金色、銀色等）の印字を可能とするプリンタについて提案されている。
【０００５】
ところで、画像データを印刷する場合、ＲＧＢ画像データをインクの打ち込み量データに変換する（色分解する）ことが必要となってくるが、かかる色分解にあたっては、ＬＵＴ（ルックアップテーブル）を用いるのが一般的である。
【０００６】
ここで、ＬＵＴの作成に必要なパッチ数Ｐは、
【０００７】
【数１】
2005153281.tif 000003
【０００８】
で表され、例えば、４色の基本インクでグリッド数が５グリッド(０％から１００％まで２５％間隔)の場合、６２５個のパッチが必要となる。このため、上述のように特色インクを加えて、インク数が増加した場合（例えばＣＭＹＫの４色の基本インクにＲＧＢの特色インクを加え７色のインクを用いる場合）には、ＬＵＴ作成に必要なパッチ数は７８１２５パッチとなり、出力・測色という作業に莫大なコストがかかることとなる。そこで、特色印刷を行うにあたっては、効率よくＬＵＴを作成することが重要となってくる。
かかる点に鑑みて、例えば、特開２００１−１３６４０１号公報では、全てのインクの組み合わせを考えるのではなく、色相ごとにＬＵＴを分割し、特色インクを挟み、色相の隣り合う任意の２色にＫインクを加えた計４色のインクからなるＬＵＴを複数個用意することで、色分解を行う方法が提案されている。本方法によれば、使用される特色インクの組み合わせを予め限定しているため、特色インクを用いた場合でもパッチ数を低減させることが可能となる。また、複数個のＬＵＴを用意し、入力データに対してＬＵＴを切り替えて使用することとしているため、ＣＭＹＫの色域よりも広い範囲の色域を実現することが可能となる。
【特許文献１】特開平０６−３２９００４号公報
【特許文献２】特開平２００１−１３６４０１号公報
【発明の開示】
【発明が解決しようとする課題】
【０００９】
しかしながら、上述したいずれの文献も、使用される特色インクがあらかじめ定められていることが前提となっており、あらたに特色インクを追加したり、削除したりした場合に、簡易にＬＵＴを修正する方法についてまでは言及されていない。
【００１０】
例えば、特開平０６−３２９００４号公報では、カラー画像の出力に必要不可欠な色分解ＬＵＴの作成に関する記述がなされておらず、そもそもインク交換時における色分解ＬＵＴの作成方法が開示されていない。また、特開２００１−１３６４０１号公報では、使用する特色インクの種類を予め限定した後に色分解ＬＵＴを作成しているため、新たに特色インクを追加または削除する場合に容易に対応することはできない。
【００１１】
しかし、より鮮やかな色を色再現するために、特色インクを後から追加する場合も考えられ、そのような場合でも、より広い色域の色再現を可能にするＬＵＴを簡単に作成できることが望ましい。
【００１２】
本発明は、上記課題に鑑みてなされたものであり、基本インク以外の色相の特色インクを追加／削除した場合に生じる色域の変化を反映したＬＵＴを簡易に生成することが可能な画像処理装置、画像処理方法ならびに記憶媒体、プログラムを提供することを目的とする。
【課題を解決するための手段】
【００１３】
上記の目的を達成するために本発明に係る画像処理装置は以下のような構成を備える。即ち、
任意の画像データをＣＭＹＫ形式の画像データに変換する基本ルックアップテーブルを備え、変換後の画像データを画像出力装置に出力する画像処理装置であって、
前記任意の画像データを前記ＣＭＹＫ以外の特色データを含む画像データに変換する特色ルックアップテーブルを読み込む読込手段と、
前記基本ルックアップテーブルにより形成される色域以外の色域であって、前記特色ルックアップテーブルにより形成可能な色域を検索する検索手段と、
前記検索手段により検索された色域を追加することで前記基本ルックアップテーブルを変更する変更手段と、
前記変更手段により変更された前記基本ルックアップテーブルを用いて、前記任意の画像データを前記ＣＭＹＫ以外の特色データを含む画像データに変換する変換手段とを備える。
【発明の効果】
【００１４】
基本インク以外の色相の特色インクを追加／削除した場合に生じる色域の変化を反映したＬＵＴを簡易に生成することが可能となる。
【発明を実施するための最良の形態】
【００１５】
[第１の実施形態]
以下、本発明に係る第１の実施形態について、添付の図面を参照して詳細に説明する。
【００１６】
＜画像処理装置のハードウェア構成＞
図１は、本発明の一実施形態にかかる画像処理装置のハードウェア構成を示す図である。１０１はＣＰＵで、ＲＯＭ１０２に記憶された制御プログラム或いは記憶装置１０４からＲＡＭ１０３にロードされた制御プログラムに従って、本実施形態にかかる画像処理方法を実現するための各種制御を行う。
【００１７】
ＲＯＭ１０２は各種パラメータやＣＰＵ１０１が実行する制御プログラムなどを格納している。ＲＡＭ１０３は、ＣＰＵ１０１による各種制御の実行時に作業領域を提供するとともに、ＣＰＵ１０１により実行される制御プログラムを記憶する。
【００１８】
１０４はハードディスク、フロッピー（登録商標）ディスク、ＣＤ−ＲＯＭ、ＤＶＤ−ＲＯＭ、メモリカード等の記憶装置で、この記憶装置がハードディスクの場合には、ＣＤ−ＲＯＭやフロッピー（登録商標）ディスク等からインストールされた各種プログラムや処理される各種データ（画像データ、インクデータ、ＬＵＴ等）が記憶されている。１０５はＩ／Ｆであり、例えば、プリンタ等の各種画像出力装置やデータベース（特色インク用ＬＵＴデータベース、詳細は後述）を備えるサーバ等と接続される。１０６はマウスやキーボード等の各種入力装置である。
【００１９】
＜画像処理装置の機能構成＞
図２は本発明の一実施形態にかかる画像処理装置の機能ブロック図である。２００に本実施形態にかかる画像処理装置において処理される各種機能を機能ブロックごとに示す。
【００２０】
２１０は追加する特色インクを含む色分解ＬＵＴを入力する特色ＬＵＴ入力部、２０１は基本インク（ＣＭＹＫインク）のインクデータを記憶する基本インクデータ記憶部、２０２は特色ＬＵＴ入力部２１０にて入力された特色インクの色分解ＬＵＴを記憶する特色ＬＵＴ記憶部、２０３は基本インクのみを用いて印刷する際に用いる色分解ＬＵＴを記憶するための基本ＬＵＴ記憶部である。
【００２１】
２０４は基本インクデータ記憶部２０１に記憶されている基本インクデータ及び特色ＬＵＴ記憶部２０２に記憶されている特色インクの色分解ＬＵＴ及び基本ＬＵＴ記憶部２０３に記憶されている基本ＬＵＴを用いて、基本ＬＵＴ中の変更箇所を検索するＬＵＴ変更箇所検索部、２０５は特色ＬＵＴ記憶部２０２に記憶されている特色ＬＵＴに基づき、ＬＵＴ変更箇所検索部２０４にて検索された基本ＬＵＴ中の変更箇所を変更するＬＵＴ変更部、２０６はＬＵＴ変更部２０５にて変更された変更後のＬＵＴを記憶する変更後ＬＵＴ記憶部である。
【００２２】
２１１は実際に印刷する画像データを記憶する画像データ記憶部、２０７は画像データ記憶部２１１から画像データを入力する画像入力部、２０８は入力された画像データのＲＧＢ値を、変換後ＬＵＴ記憶部２０６に記憶されている変更後のＬＵＴを用いて各インクの打ち込み量に変換する画像変換部、２０９は画像変換部２０８にて変換されたインク打ち込み量を画像出力装置２１２に送信する画像出力部である。なお、２１２は画像処理装置２００に接続されたインクジェットプリンタ等、実際に画像を印刷する画像出力装置である。
【００２３】
＜全体処理＞
図３は、本実施形態にかかる画像処理装置にて実行される画像処理の流れを示すフローチャートである。
【００２４】
ステップＳ３０１では、特色ＬＵＴ入力部２１０により、ユーザが使用したい特色インクのＬＵＴが入力され（詳細は後述）、特色ＬＵＴ記憶部２０２に記憶される。次にステップＳ３０２では、ＬＵＴ変更箇所検索部２０４にて、基本インクデータ記憶部２０１に記憶されている基本インクデータと特色ＬＵＴ記憶部２０２に記憶されている特色ＬＵＴとを比較し、特色ＬＵＴが基本インクデータ以外のインクデータで構成されているかを判断する。基本インクデータ以外のインクデータで構成されている場合には、さらに基本ＬＵＴ記憶部２０３に記憶されている基本ＬＵＴを用いて、特色ＬＵＴと基本ＬＵＴとを対比し、基本ＬＵＴ中の変更箇所（基本ＬＵＴにより形成される色域以外の色域であって、特色ＬＵＴにより形成される色域）を検索する（詳細は後述）。
【００２５】
ステップＳ３０３では、ＬＵＴ変更部２０５にて、特色ＬＵＴ記憶部２０２に記憶されている特色ＬＵＴに基づき、ＬＵＴ変更箇所検索部２０４にて検索された基本ＬＵＴ中の変更箇所を変更する（基本ＬＵＴにより形成される色域以外の色域であって、特色ＬＵＴにより形成される色域を基本ＬＵＴに追加する）。
【００２６】
ステップＳ３０４では、画像入力部２０７にて、画像データ記憶部２１１に記憶されている画像データを読み込む。ステップＳ３０５では、画像変換部２０８にて、変更後ＬＵＴ記憶部２０６に記憶されている変更後ＬＵＴに基づき、画像のＲＧＢ値をインク打ち込み量に変換する。ステップＳ３０６では、画像出力部２０９にて、画像変換部２０８で変換されたインク打ち込み量データを画像出力装置２１２に送信し、画像出力を行う。
【００２７】
＜特色インクデータ＞
ここでは、ステップＳ３０１にて用いる特色ＬＵＴについて基本ＬＵＴと対比しながら詳細に説明する。
【００２８】
図４（Ａ）は、基本インクデータを用いて生成された基本ＬＵＴの一例を示す図である（基本ＬＵＴ記憶部２０３に記憶されている）。４０１は各パッチをあらわし、本実施形態では４色の基本インク（ＣＭＹＫ）でグリッド数が５グリッド(０％から１００％まで２５％間隔)の６２５パッチの基本ＬＵＴを用いるものとする。４０２は各パッチに対応するＲ値、Ｇ値、Ｂ値およびＣ値、Ｍ値、Ｙ値、Ｋ値を示す（「＊」には所定の値が入力されているものとする）。
【００２９】
図４（Ｂ）は、Ｌ＊ａ＊ｂ＊色空間における、上記基本ＬＵＴの色域を示す図である。４０３は所定の明度における色域を表している。
【００３０】
一方、図５（Ａ）は、特色インクデータを用いて生成された特色ＬＵＴの一例を示す図である。本実施形態では、基本インク（ＣＭＹＫ）に、特色インクとしてＧ（グリーン）を追加した場合について説明する。上記特色ＬＵＴは、ユーザ自身が作成するようにしても良いが、ここでは画像出力装置又は特色インクを提供するメーカ側が作成し、フロッピーディスク（登録商標）やＣＤ−ＲＯＭ等の記録媒体により配布されているものを用いることとし、特色ＬＵＴ入力部２１０を介して入力される。
【００３１】
図５（Ａ）の５０１に示すように、提供される特色ＬＵＴにより表現される色は、基本ＬＵＴにより網羅されている色（５０１中のパッチ（３）、（４）・・・（２０）等）のほか、基本ＬＵＴにより網羅されていない色（５０１中のパッチ（６２７）、（６２９）等）が含まれている。このため、Ｌ＊ａ＊ｂ＊色空間において上記特色ＬＵＴの色域を示すと図５（Ｂ）のようになる（５０３は所定の明度における色域を表している）。
【００３２】
ここで、図４（Ｂ）と図５（Ｂ）の各色域を重ね合わせると図６（Ｂ）のようになる。つまり、特色インクを用いて画像を出力する場合、基本ＬＵＴの全ての点において、特色インクが用いられることはなく、ある一部分、特に追加した特色インクをベタで印字した場合の色相角付近のみにおいて特色インクが使用され、色域が変化する（図６（Ｂ）の６０３の斜線部参照）。
【００３３】
そこで、追加特色インクの特色ＬＵＴと、基本インクのみで印字した場合の基本ＬＵＴ（図４（Ａ））とを比較して（ＬＵＴ変更箇所検索部２０４にて実行）、インク打ち込み量が変化した部分のみの特色ＬＵＴを基本ＬＵＴに追加する。
【００３４】
図６（Ａ）は、ＬＵＴ変更部２０５による変更後のＬＵＴを示す。同図に示すように、基本ＬＵＴにより表現される各パッチ（パッチ（１）〜（６２５））についてのＧ値には「０」が入り、色域が変化した部分のパッチ（パッチ（６２７）、（６２９））に特色ＬＵＴが追加されることとなる。
【００３５】
以上説明したように本実施形態によれば、従来より用いられている基本インク（ＣＭＹＫ）に、特色インクを加えて印字する場合にも、最低限のＬＵＴ変更のみで当該特色インクの追加により生じる色域の変化を反映した印刷を行うことが可能となる。
【００３６】
[第２の実施形態]
以下、本発明の第２の実施形態について、添付の図面を参照して詳細に説明する。
【００３７】
＜画像処理装置＞
図７は本発明の第２の実施形態にかかる画像処理装置の機能ブロック図である。７００に本実施形態にかかる画像処理装置において実行される各種機能を機能ブロックごとに示す。
【００３８】
７１２は追加する特色インクを含む特色ＬＵＴをダウンロードする通信インターフェース部、７０１は基本インク（ＣＭＹＫインク）のインクデータを記憶する基本インクデータ記憶部、７０２は通信インターフェース部７１２にてダウンロードされた特色ＬＵＴを記憶する特色ＬＵＴ記憶部、７０３は基本インクのみを用いて印刷する際に用いる色分解ＬＵＴを記憶するための基本ＬＵＴ記憶部である。
【００３９】
７０４は基本インクデータ記憶部７０１に記憶されている基本インクデータ及び特色ＬＵＴ記憶部７０２に記憶されている特色ＬＵＴ及び基本ＬＵＴ記憶部７０３に記憶されている基本ＬＵＴを用いて、基本ＬＵＴ中の変更箇所を検索するＬＵＴ変更箇所検索部、７０５は特色ＬＵＴ記憶部７０２に記憶されている特色ＬＵＴに基づき、ＬＵＴ変更箇所検索部７０４にて検索された基本ＬＵＴ中の変更箇所を変更するＬＵＴ変更部、７０６はＬＵＴ変更部７０５にて変更された変更後のＬＵＴを記憶する変更後ＬＵＴ記憶部である。
【００４０】
７１３は実際に印刷する画像データを記憶する画像データ記憶部、７０７は画像データ記憶部７１３から画像データを入力する画像入力部、７０８は入力された画像データのＲＧＢ値を、変更後ＬＵＴ記憶部７０６に記憶されている変更後のＬＵＴを用いて各インクの打ち込み量に変換する画像変換部、７０９は画像変換部７０８にて変換されたインク打ち込み量を画像出力装置７１４に送信する画像出力部である。なお、７１４は画像処理装置７００に接続されたインクジェットプリンタ等、実際に画像を印刷する画像出力装置である。
【００４１】
また、７１０は画像出力装置７１４にセットされている特色インクの種類を読み取り、通信インターフェース部７１２に送信する特色インクデータ読み取り部である。
【００４２】
＜全体処理＞
図８は、本実施形態にかかる画像処理装置にて実行される画像処理の流れを示すフローチャートである。
【００４３】
ステップＳ８０１では、特色インクデータ読み取り部７１０にて、画像出力装置７１４より特色インクの種類を読み取り、通信インターフェース部７１２に送信する。なお、画像出力装置７１４にセットされている特色インクの種類は、図９に示すように特色インク種類判別チップより判別してもよいし（（ａ）参照）、インクタンクの判別用形状（溝）により判別してもよい。いずれにしても、特色インクデータは、画像出力装置７１４において判別され、当該判別結果が特色インクデータ読み取り部７１０により読み取られる。
【００４４】
次にステップＳ８０２では、通信インターフェース部７１２にて、特色インクデータ読み取り部７１０から送信された特色インクデータに対応する特色ＬＵＴを、特色インク用ＬＵＴデータベース７１１からダウンロードする。
【００４５】
ステップＳ８０３では、ＬＵＴ変更箇所検索部７０４にて、基本インクデータ記憶部７０１に記憶されている基本インクデータと特色ＬＵＴ記憶部７０２に記憶されている特色ＬＵＴとを比較し、特色ＬＵＴが基本インクデータ以外のインクデータで構成されているかを判断する。基本インクデータ以外のインクデータで構成されている場合には、さらに基本ＬＵＴ記憶部７０３に記憶されている基本ＬＵＴを用いて、特色ＬＵＴと基本ＬＵＴとを対比し、基本ＬＵＴ中の変更箇所（基本ＬＵＴにより形成される色域以外の色域であって、特色ＬＵＴにより形成される色域）を検索する。
【００４６】
ステップＳ８０４では、ＬＵＴ変更部７０５にて、特色ＬＵＴ記憶部７０２に記憶されている特色ＬＵＴに基づき、ＬＵＴ変更箇所検索部７０４にて検索された基本ＬＵＴ中の変更箇所を変更する（基本ＬＵＴにより形成される色域以外の色域であって、特色ＬＵＴにより形成される色域を基本ＬＵＴに追加する）。
【００４７】
ステップＳ８０５では、画像入力部７０７にて、画像データ記憶部７１３に記憶されている画像データを読み込む。ステップＳ７０６では、画像変換部７０８にて、変更後ＬＵＴ記憶部７０６に記憶されている変更後ＬＵＴに基づき、画像のＲＧＢ値をインク打ち込み量に変換する。
【００４８】
ステップＳ８０７では、画像出力部７０９にて、画像変換部７０８で変換されたインク打ち込み量データを画像出力装置７１４に送信し、画像出力を行う。
【００４９】
以上説明したように本実施形態によれば、従来より用いられているＣＭＹＫインクに、特色インクを加えて印刷する場合にも、使用する特色インクの種類が変更されるたびに、ユーザがＬＵＴの変更を手動で更新することなく、また、最低限のＬＵＴ変更のみで、印刷を行うことができる。
【００５０】
[第３の実施形態]
＜画像データ＞
上記第１および第２の実施形態において、入力画像は、ＲＧＢデータとしているが、これに限られる必要はなく、例えば、各画素にＬａｂ値が対応した形で保存されているＬａｂデータ等を入力データに用いても構わない。
【００５１】
また、上記第１および第２の実施形態において、基本インクは、必ずしもＣＭＹＫ４色インクである必要はなく、例えば、粒状性を向上させるためにライトシアン、ライトマゼンタを加えた６色のインクを基本インクとして用いても良い。
【００５２】
＜使用特色インク選択＞
上記第１および第２の実施形態において、画像出力装置に搭載した特色インクは、必ずしも全て使用する必要はなく、図１０に示すようなユーザインターフェースを用いて、搭載されている特色インクの中から、ユーザが任意に使用インクを入力装置１０６を用いて選択するようにしても良い。
【００５３】
[他の実施形態]
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００５４】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００５５】
この場合、記憶媒体から読出されたプログラムコード自体が前述した実施形態の機能を実現することになり、そのプログラムコードを記憶した記憶媒体は本発明を構成することになる。
【００５６】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５８】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００５９】
【図１】本発明の一実施形態にかかる画像処理装置のハードウェア構成を示す図である。
【図２】本発明の第１の実施形態にかかる画像処理装置の機能ブロック図である。
【図３】本発明の第１の実施形態にかかる画像処理装置における処理の流れを説明するフローチャートである。
【図４】基本ＬＵＴの一例を示す図である。
【図５】特色ＬＵＴの一例を示す図である。
【図６】基本ＬＵＴと特色ＬＵＴとに基づいて生成された変更後ＬＵＴの一例および、基本ＬＵＴと特色ＬＵＴの色域の違いを示す図である。
【図７】本発明の第２の実施形態にかかる画像処理装置の機能ブロック図である。
【図８】本発明の第２の実施形態にかかる画像処理装置における処理の流れを説明するフローチャートである。
【図９】特色インク種類判別用チップの一例及び特色インク種類判別用形状の一例を示す図である。
【図１０】使用特色インク選択用ユーザインターフェースの一例を示す図である。
【符号の説明】
【００６０】
２０１    基本インクデータ記憶部
２０２    特色ＬＵＴ記憶部
２０３    基本ＬＵＴ記憶部
２０４    ＬＵＴ変更箇所検索部
２０５    ＬＵＴ変更部
２０６    変更後ＬＵＴ記憶部
２０７    画像入力部
２０８    画像変換部
２０９    画像出力部
２１０    特色ＬＵＴ入力部
２１１    画像データ記憶部
２１２    画像出力装置
【図１】
2005153281.tif 000004
【図２】
2005153281.tif 000005
【図３】
2005153281.tif 000006
【図４】
2005153281.tif 000007
【図５】
2005153281.tif 000008
【図６】
2005153281.tif 000009
【図７】
2005153281.tif 000010
【図８】
2005153281.tif 000011
【図９】
2005153281.tif 000012
【図１０】
2005153281.tif 000013